(57)【要約】【課題】コンピュータシステムの知識がなくとも、折込広告を利用して、専用の情報機器から直感的に購入希望商品を選択して購入することのできる商品購入方法および商品購入用情報機器を提供することを目的とする。【解決手段】利用者に予め情報機器を提供する。折込広告には、所定位置に該折込広告に印刷された商品に関する商品情報とそれらの商品を販売する店舗に関する店舗情報とをバーコード形式で記載してある。利用者が、情報機器の所定の位置に折込広告を載置すると、バーコードリーダで商品情報と店舗情報を読み取る。利用者が折込広告の商品をタッチすると、タッチした位置情報と商品情報から商品を特定し、その商品情報を購入希望商品として表示する。メール送信ボタンにより、購入希望商品の購入希望を店舗情報が示す連絡先に送信する。【選択図】  図２
2004227324.tif 000002
【特許請求の範囲】
【請求項１】
利用者が情報機器を用いてネットワーク経由で商品購入する商品購入方法であって、
利用者に配付した折込広告を情報機器の所定位置に載置し、該折込広告に印刷された商品の表示部分にタッチすることにより購入希望商品を指定し、指定した購入希望商品の購入希望を所定の連絡先に送信することにより、商品を購入することを特徴とする商品購入方法。
【請求項２】
利用者が情報機器を用いてネットワーク経由で商品購入する商品購入方法であって、
前記情報機器を用いて、折込広告中の所定位置に該折込広告に印刷された商品に関する商品情報とそれらの商品を販売する店舗に関する店舗情報とを記載した折込広告を、所定の位置に載置することによって、前記商品情報と店舗情報を読み取るステップと、
利用者が、前記所定位置に載置された折込広告に印刷された商品をタッチしたとき、そのタッチした位置座標を取り込むステップと、
取り込んだ位置座標と前記商品情報に基づいて、利用者がタッチした商品を特定し、その商品情報を購入希望商品として決定するステップと、
前記購入希望商品の購入希望を前記店舗情報が示す連絡先に送信するステップと
を備えることを特徴とする商品購入方法。
【請求項３】
利用者が情報機器を用いてネットワーク経由で商品購入する商品購入方法であって、
前記情報機器により、折込広告を特定する情報を入力するステップと、
前記情報機器の所定の位置に前記折込広告を載置し、利用者がその折込広告に印刷された商品をタッチしたとき、そのタッチした位置座標を取り込むステップと、
取り込んだ位置座標と前記折込広告を特定する情報を、所定のサーバに送信するステップと、
前記所定のサーバにて、前記位置座標と前記折込広告を特定する情報に基づいて利用者がタッチした商品を特定し、特定した商品の商品情報を前記情報機器に返信するステップと、
前記情報機器にて、前記返信された商品情報を受信し、受信した商品情報を購入希望商品として決定するステップと、
前記購入希望商品の購入希望を所定の連絡先に送信するステップと
を備えることを特徴とする商品購入方法。
【請求項４】
請求項２または３に記載の商品購入方法において、
前記購入希望商品を決定した際に、該決定した購入希望商品を前記情報機器にて表示するステップ
をさらに備えることを特徴とする商品購入方法。
【請求項５】
請求項２に記載の商品購入方法において、
前記商品情報と店舗情報は前記折込広告中の所定位置に印刷されたバーコードで記載されており、
前記商品情報と店舗情報を読み取るステップは、前記情報機器に設けられているバーコードリーダにより前記バーコードを読み取ることで前記商品情報と店舗情報を読み取るものである
ことを特徴とする商品購入方法。
【請求項６】
請求項１から４の何れか１つに記載の商品購入方法において、
前記購入希望商品およびその購入個数を利用者が削除または変更するステップをさらに備えることを特徴とする商品購入方法。
【請求項７】
請求項１から４の何れか１つに記載の商品購入方法において、
前記購入希望を受けた連絡先にて、該購入希望を受け付けることができるか否か確認し、その確認情報を前記情報機器に返信するステップと、
前記情報機器にて、該確認情報を受信し表示するステップと
をさらに備えることを特徴とする商品購入方法。
【請求項８】
利用者がネットワーク経由で商品購入するための商品購入用情報機器であって、
折込広告中の所定位置に該折込広告に印刷された商品に関する商品情報とそれらの商品を販売する店舗に関する店舗情報とを記載した折込広告を、所定の位置に載置することによって、前記商品情報と店舗情報を読み取る手段と、
利用者が、前記所定位置に載置された折込広告に印刷された商品をタッチしたとき、そのタッチした位置座標を取り込む手段と、
取り込んだ位置座標と前記商品情報に基づいて、利用者がタッチした商品を特定し、その商品情報を購入希望商品として決定する手段と、
前記購入希望商品の購入希望を前記店舗情報が示す連絡先に送信する手段と
を備えることを特徴とする商品購入用情報機器。
【請求項９】
利用者がネットワーク経由で商品購入するための商品購入用情報機器であって、
折込広告を特定する情報を入力する手段と、
所定の位置に前記折込広告を載置し、利用者がその折込広告に印刷された商品をタッチしたとき、そのタッチした位置座標を取り込む手段と、
取り込んだ位置座標と前記折込広告を特定する情報を、所定のサーバに送信する手段と、
前記所定のサーバが前記位置座標と前記折込広告を特定する情報に基づいて利用者がタッチした商品を特定し、特定した商品の商品情報を返信したとき、その返信された商品情報を受信し、受信した商品情報を購入希望商品として決定する手段と、
前記購入希望商品の購入希望を所定の連絡先に送信する手段と
を備えることを特徴とする商品購入用情報機器。
【請求項１０】
請求項８または９に記載の商品購入用情報機器において、
前記購入希望商品を決定した際に、該決定した購入希望商品を表示する手段
をさらに備えることを特徴とする商品購入用情報機器。
【発明の詳細な説明】
【０００１】
【発明の属する技術分野】
本発明は、情報機器を使用して利用者が折込広告から購入希望商品を選択して購入することができる商品購入方法および商品購入用情報機器に関する。
【０００２】
【従来の技術】
従来、情報機器を使用して購入希望商品を選択し、購入希望者に配達する商品購入方法としては、特許文献１に記載のものが知られている。これは、インターネットおよびイントラネットを介して取得した情報をコンピュータ上のブラウザに表示し、購入希望商品の選択をおこなう構成になっている。
【０００３】
【特許文献１】特開２００１−３１５９６７号（図２ほか）
【０００４】
【発明が解決しようとする課題】
しかしながら、特許文献１に記載の技術は、コンピュータシステム上の機能、例えばブラウザに商品一覧を表示し、表示した商品情報から購入希望承認を選択し、販売店舗へメールする機能を利用しており、コンピュータシステムやコンピュータシステム上で動作する機能の知識や操作方法について利用者がある程度知っていることを前提としているため、あまりコンピュータを使用したことのない人にとっては、利用されにくいといった問題がある。
【０００５】
本発明の目的は、コンピュータシステムの知識がなくとも、新聞等と共に配達される折込広告を利用して、専用の情報機器から直感的に購入希望商品を選択して購入することのできる商品購入方法および商品購入用情報機器を提供することにある。
【０００６】
【課題を解決するための手段】
上記目的を達成するため、請求項１に係る発明は、利用者が情報機器を用いてネットワーク経由で商品購入する商品購入方法であって、利用者に配付した折込広告を情報機器の所定位置に載置し、該折込広告に印刷された商品の表示部分にタッチすることにより購入希望商品を指定し、指定した購入希望商品の購入希望を所定の連絡先に送信することにより、商品を購入することを特徴とする。
【０００７】
請求項２に係る発明は、利用者が情報機器を用いてネットワーク経由で商品購入する商品購入方法であって、前記情報機器を用いて、折込広告中の所定位置に該折込広告に印刷された商品に関する商品情報とそれらの商品を販売する店舗に関する店舗情報とを記載した折込広告を、所定の位置に載置することによって、前記商品情報と店舗情報を読み取るステップと、利用者が、前記所定位置に載置された折込広告に印刷された商品をタッチしたとき、そのタッチした位置座標を取り込むステップと、取り込んだ位置座標と前記商品情報に基づいて、利用者がタッチした商品を特定し、その商品情報を購入希望商品として決定するステップと、前記購入希望商品の購入希望を前記店舗情報が示す連絡先に送信するステップとを備えることを特徴とする。
【０００８】
請求項３に係る発明は、利用者が情報機器を用いてネットワーク経由で商品購入する商品購入方法であって、前記情報機器により、折込広告を特定する情報を入力するステップと、前記情報機器の所定の位置に前記折込広告を載置し、利用者がその折込広告に印刷された商品をタッチしたとき、そのタッチした位置座標を取り込むステップと、取り込んだ位置座標と前記折込広告を特定する情報を、所定のサーバに送信するステップと、前記所定のサーバにて、前記位置座標と前記折込広告を特定する情報に基づいて利用者がタッチした商品を特定し、特定した商品の商品情報を前記情報機器に返信するステップと、前記情報機器にて、前記返信された商品情報を受信し、受信した商品情報を購入希望商品として決定するステップと、前記購入希望商品の購入希望を所定の連絡先に送信するステップとを備えることを特徴とする。
【０００９】
請求項４に係る発明は、請求項２または３に記載の商品購入方法において、前記購入希望商品を決定した際に、該決定した購入希望商品を前記情報機器にて表示するステップをさらに備えることを特徴とする。
【００１０】
請求項５に係る発明は、請求項２に記載の商品購入方法において、前記商品情報と店舗情報は前記折込広告中の所定位置に印刷されたバーコードで記載されており、前記商品情報と店舗情報を読み取るステップは、前記情報機器に設けられているバーコードリーダにより前記バーコードを読み取ることで前記商品情報と店舗情報を読み取るものであることを特徴とする。
【００１１】
請求項６に係る発明は、請求項１から４の何れか１つに記載の商品購入方法において、前記購入希望商品およびその購入個数を利用者が削除または変更するステップをさらに備えることを特徴とする。
【００１２】
請求項７に係る発明は、請求項１から４の何れか１つに記載の商品購入方法において、前記購入希望を受けた連絡先にて、該購入希望を受け付けることができるか否か確認し、その確認情報を前記情報機器に返信するステップと、前記情報機器にて、該確認情報を受信し表示するステップとをさらに備えることを特徴とする。
【００１３】
請求項８に係る発明は、利用者がネットワーク経由で商品購入するための商品購入用情報機器であって、折込広告中の所定位置に該折込広告に印刷された商品に関する商品情報とそれらの商品を販売する店舗に関する店舗情報とを記載した折込広告を、所定の位置に載置することによって、前記商品情報と店舗情報を読み取る手段と、利用者が、前記所定位置に載置された折込広告に印刷された商品をタッチしたとき、そのタッチした位置座標を取り込む手段と、取り込んだ位置座標と前記商品情報に基づいて、利用者がタッチした商品を特定し、その商品情報を購入希望商品として決定する手段と、前記購入希望商品の購入希望を前記店舗情報が示す連絡先に送信する手段とを備えることを特徴とする。
【００１４】
請求項９に係る発明は、利用者がネットワーク経由で商品購入するための商品購入用情報機器であって、折込広告を特定する情報を入力する手段と、所定の位置に前記折込広告を載置し、利用者がその折込広告に印刷された商品をタッチしたとき、そのタッチした位置座標を取り込む手段と、取り込んだ位置座標と前記折込広告を特定する情報を、所定のサーバに送信する手段と、前記所定のサーバが前記位置座標と前記折込広告を特定する情報に基づいて利用者がタッチした商品を特定し、特定した商品の商品情報を返信したとき、その返信された商品情報を受信し、受信した商品情報を購入希望商品として決定する手段と、前記購入希望商品の購入希望を所定の連絡先に送信する手段とを備えることを特徴とする。
【００１５】
請求項１０に係る発明は、請求項８または９に記載の商品購入用情報機器において、前記購入希望商品を決定した際に、該決定した購入希望商品を表示する手段をさらに備えることを特徴とする。
【００１６】
【発明の実施の形態】
以下、本発明を実施する場合の一形態を図面を参照して具体的に説明する。
【００１７】
図１は、本発明を適用した場合の商品購入の手順の概要を示す図である。折込広告作成１０１は、折込広告に記載されている商品の内容を情報機器が認識できるように折込広告（例えば、新聞に付いてくるちらしなど）を作成する段階である。情報機器提供１０２は、折込広告に記載されている情報を認識することができる情報機器を、申込者に提供する段階である。商品指定・メール送信１０３は、利用者が、配布された折込広告を情報機器の所定の位置に配置し、折込広告に記載されている商品から購入希望商品を指定し、購入希望商品の指定が終了した時点で、情報機器のメール送信機能を使用して店舗や仲介業者などに購入希望のメールを送信する段階である。購入商品確認メール送信１０４は、店舗や仲介業者などが商品購入希望者からのメールを受信し、購入希望商品の在庫調査を行い、その購入希望商品が購入可能かどうかの確認メールを商品購入希望者に送信する段階である。商品購入希望者は、提供されている情報機器によって当該確認メールを受信し、購入が成立した商品と配達時間を確認する。
【００１８】
図２は、利用者に対して提供（例えば、申込者に対する貸与の形態を採る）する情報機器２０１の構成を示す。２１１は、利用者に配付された折込広告を載せる領域である。この領域２１１の上部にはバーコードリーダ２１２が設けられ、下部にはタッチパネル２１３が設けられている。折込広告２０２は、領域２１１にぴったり載るような大きさで作成されているか、折込広告２０２を載せる位置が情報機器２０１または折込広告２０２等に明示されており、コンピュータ等を使用し慣れない人にとっても、迷うことなく正しい位置に折込広告２０２を載せられるようになっている。また、領域２１１は必ずしも水平に設置されている必要はなく、領域２１１上に載せた折込広告２０２の位置がずれないように折込広告２０２をクリップ等で固定できるようになっていれば、垂直または斜めに設置してあっても良い。
【００１９】
折込広告２０２は、上部に店舗情報や商品情報を含むバーコード２２１が印刷され、下部に商品の写真や説明などの広告部分２２２が印刷されている。利用者が、折込広告２０２を情報機器２０１の領域２１１上に載せると、バーコードリーダ２１２が折込広告２０２のバーコード２２１を読み取る。これにより、情報機器２０１に、その折込広告２０２の店舗情報や商品情報が取り込まれる。ここで、折込広告２０２の表（おもて）面を上にして載せた場合、情報機器２０１は折込広告２０２の裏面のバーコードを読み取ることになるので、折込広告２０２の表面のバーコードには裏面の商品情報が、裏面のバーコードには表面の商品情報が、それぞれ印刷されている。折込広告２０２の店舗情報や商品情報については、図４で詳しく説明する。
【００２０】
利用者は、タッチパネル２１３上に載せた折込広告２０２の広告部分２２２の商品を参照して、購入したい商品をタッチする。タッチされた商品は、購入希望商品として指定されたものとし、その商品名などの情報がディスプレイ２１４に表示される。予め広告部分２２２に印刷された各商品の写真などの位置とその商品名などの情報は、折込広告２０２のバーコード２２１から商品情報として読み取ってあるので、情報機器２０１は、利用者がタッチした位置座標からどの商品が指定されたかを識別できる。本実施形態では、折込広告２０２を情報機器２０１上に載せ、折込広告の商品をタッチすることによる商品指定機能を提供するので、直感的な商品指定を可能としている。
【００２１】
利用者が指定した購入希望商品についてのディスプレイ２１４への表示情報は、例えば、各購入商品の購入日、配送希望日、店舗名、商品名、購入個数、および価格などや、店舗ごとの購入金額の合計などである。削除ボタン２１５は、ディスプレイ２１４に表示された購入希望商品の一覧から、商品を削除する機能を提供する。情報変更ボタン２１６は、ディスプレイ２１４に表示された購入希望商品の一覧の購入希望個数を変更する機能を提供する。具体的には、既に指定されている購入希望商品を広告部分２２２上で再度タッチして選択状態とし（このときディスプレイ２１４に表示された当該購入希望商品の表示を反転表示するなどして選択状態にあることを示してもよい）、削除ボタン２１５を押下することで、当該商品を購入希望商品から削除することができる。また、既に指定済みの購入希望商品を広告部分２２２上で再度タッチして選択状態とし、情報変更ボタン２１６を押下することで、その購入希望商品の購入個数や配送希望日を変更することができる。購入個数については、例えば既に指定済みの購入希望商品を折込広告上で再度タッチして選択状態とし、さらにその商品をタッチすることにより、その商品の購入個数を増加させることができる。また、折込広告の所定位置に個数を表す数字を印刷しておき（予め広告のどの座標範囲がどの数字に対応するかを決めておく）、購入希望商品を上記方法で選択状態とした上で、その数字の位置をタッチすることで入力できるようにしてもよい。配送希望日を変更についても、折込広告の所定位置に印刷された配送希望日の選択肢の位置をタッチすることで、注文した全商品について、または購入希望商品を上記方法で選択状態とした場合はその商品のみについて、配送希望日を変更することができる。もし配送希望日の変更がなければ、購入日・商品情報等によって定まる標準の配送予定日に配送されるものとする。
【００２２】
メール送信ボタン２１７を押下することにより、それまでに指定した購入希望商品の情報を含む購入希望のメールを、店舗ごとのメールアドレスに送信する。
【００２３】
図３は、情報機器２０１内に保持される利用者情報テーブルである。利用者情報テーブルは、情報機器提供者のみが書き替えることができ、利用者は参照は可能だが書き替えはできない。情報機器提供者は、利用者ごとにその利用者を特定するＩＤを割り振り、利用者ＩＤ、利用者の氏名や住所や電話番号などの利用者の情報、および当該情報機器に固有のメールアドレスを利用者情報テーブルに書き込んで、当該利用者に情報機器を提供する。情報機器提供者としては、販売店舗が直接サービス利用者に提供する場合と、代理店が情報機器の提供を行う場合がある。なお、利用者の氏名、住所、電話番号などを利用者自身が変更できる機能を設けてもよい。
【００２４】
図４は、折込広告２０２のバーコード２２１として記載する店舗情報と商品情報を示す。バーコード２２１は、店舗情報４０２と複数の商品情報４０３を含む。店舗情報４０２として、店舗ＩＤ、店舗名、店舗住所、店舗電話連絡先、および店舗メール連絡先が記載される。商品情報４０３として、商品ＩＤ、商品名、商品価格、販売開始日付、販売終了日付、および座標１〜４が記載される。座標１〜４は、商品情報４０３が示す商品の写真や説明が印刷されている範囲を示す座標（４点）である。バーコード２２１から、このような店舗情報と商品情報を読み取ることにより、情報機器２０１は、折込広告上で利用者がタッチした座標から、どの商品が指定されたかを識別できる。また、利用者が指定した購入希望商品の購入申込のメールを送信すべき店舗についても認識できる。
【００２５】
図５は、利用者が情報機器２０１で購入希望商品を指定してメール送信ボタン２１７を押下した後の流れを示す。利用者が情報機器２０１で購入希望商品を指定してメール送信ボタン２１７を押下すると、５１１，５１２に示すように、インターネット５０２を介して、購入希望商品の情報を含むメールが店舗５０３に送信される。店舗５０３のメールアドレスは、折込広告２０２のバーコード２２１から読み取った店舗情報４０２内に記載されているアドレスである。
【００２６】
店舗５０３では、その購入希望商品の在庫があるかどうかなどをチェックし、あればその購入希望に対する確認メールを送信する（５１３）。その確認メールは、インターネット５０２を介して情報機器２０１で受信する（５１４）。受信した確認メールの内容は、図２のディスプレイ２１４に表示される。なお、確認メールの内容は任意であるが、例えば、購入希望した商品の名称や数量、送料を含む合計金額などの一覧、配送の予定日時などの情報を含む。また送料は、購入金額が一定額以上ならば減額または無料としたり、利用者が配送希望日を変更した場合は割増料金とする等、注文内容に応じて種々の設定をしてもよい。
【００２７】
図６は、商品選択からメール送信までの処理手順を示すフローチャート図である。利用者が情報機器２０１の領域２１１に折込広告２０２を設置すると（ステップ６０１）、情報機器２０１のバーコードリーダ２１２が折込広告２０２のバーコード２２１を読み取り、店舗情報４０２（図４）を取得するとともに（ステップ６０２）、バーコード２２１に記載されているすべての商品情報を取得する（ステップ６０３）。次に、情報機器２０１は、折込広告２０２の広告部分２２２がタッチされたか否か判定し、タッチされていたらその位置を取得する（ステップ６０５）。ステップ６０５で取得したタッチの位置がステップ６０３で取得した何れかの商品情報の座標１〜４で示される範囲内に存在するか否か判定する（ステップ６０６）。存在しないときは、商品を表す範囲以外の部分をタッチしたものとしてディスプレイ２１４にエラー表示を行い（ステップ６１３）、ステップ６０４に戻る。何れかの商品情報の座標１〜４（当該商品情報が広告に印刷された領域の左下Ｘ，Ｙ座標、及び右上Ｘ，Ｙ座標）で示される範囲内がタッチされたときは、その商品情報を、購入希望商品としてディスプレイ２１４に表示する（ステップ６０７）。
【００２８】
ステップ６０７で購入希望商品を表示する前に、指定された商品の販売開始日と販売終了日（図４の４０３参照）の範囲に現在の日付が入っているかをチェックしてもよい。入っていなければ、販売日の範囲を外れている旨をメッセージ表示して、ステップ６０４に戻ればよい。また、販売日の範囲を外れていても、とりあえず購入希望商品としてメール送信は行い、店舗側で在庫があれば販売するというように処理してもよい。
【００２９】
次に、情報機器２０２は、削除ボタン２１５や情報変更ボタン２１６を用いた削除や変更の指示があるか否か判定する（ステップ６０８）。それらの指示があれば、購入個数の変更、購入希望商品の削除、購入日の変更などを行う（ステップ６０９）。購入希望商品の指定がまだあれば、ステップ６１０から６０４に戻って、指定を続ける。購入希望商品を全て指定したら、ステップ６１０から６１１に進む。さらに別の店舗の折込広告から指定を続ける場合は、ステップ６１１から６０１に戻り、次の折込広告を情報機器に載せて処理を続ける。別の店舗の折込広告からの指定がなければ、メール送信ボタン２１７の操作を待ってメール送信する（ステップ６１２）。
【００３０】
なお、図６のフローチャートでは情報機器２０１における処理の流れを商品購入の手順に沿って記載した。実際に情報機器２０１上で動作するプログラムは、イベントドリブンの形式になっており、例えば、領域２１１上に折込広告２０２が載せられるとそのイベントを検出してステップ６０１〜６０３を実行するプログラム、タッチパネル２１３がタッチされるとそのイベントを検出してステップ６０４〜６０７，６１３を実行するプログラム、各ボタン２１５〜２１７が押下されるとそのイベントを検出してそれぞれに応じた処理を行うプログラムなどから構成されるものである。
【００３１】
上記実施の形態では、折込広告２０２のバーコード２２１に商品情報を含めたが、商品情報はネットワーク経由で取得してもよい。図７は、商品情報格納サーバから商品情報を取得する例を示す。利用者は折込広告を情報機器７０１に配置し広告番号を入力する。広告番号は折込広告の印刷パターン（どの位置にどの商品の写真などが印刷されているかのパターン）を特定する番号であり、その入力方法は任意である。例えば、広告番号をバーコードで折込広告中に印刷しておき、それを読み取る方式でもよい。また、利用者が広告番号を入力できるキーを設けたり、折込広告の所定位置に０〜９の数字を印刷しておき（予め広告のどの座標範囲がどの数字に対応するかを決めておく）、その数字の位置をタッチすることで入力できるようにしてもよい。さらに、同一の折込広告であっても、表面と裏面とで異なる広告番号を付与しても良い。
【００３２】
広告番号の入力後、利用者が広告上で購入希望商品をタッチすると、情報機器７０１は、情報機器情報（当該情報機器７０１を特定する利用者ＩＤやメールアドレスなど）と広告番号とタッチされた位置情報をインターネット７０２経由で商品情報格納サーバ７０３に送信する。商品情報格納サーバ７０３は、広告番号とタッチされた位置情報から、指定された商品を決定する。商品情報格納サーバ７０３には、広告番号ごとに、その広告に印刷されている商品について図４で説明したような商品情報が保持されている。したがって、広告番号とタッチされた位置情報からどの商品が指定されたかを識別できる。商品情報格納サーバ７０３は、指定された商品の商品情報を当該情報機器７０１に返す。情報機器７０１は、サーバ７０３から送信された商品情報を、購入希望商品としてディスプレイに表示する。
【００３３】
以上のようにして、商品情報をネットワーク経由で取得することもできる。なお、この場合、店舗情報についても同様にできる。すなわち、商品情報格納サーバ７０３において、広告番号ごとに図４で説明した店舗情報を保持するようにし、情報機器７０１から送られた広告番号に基づいて店舗情報を返すようにする。情報機器７０１では、その店舗情報から、購入希望のメールの送信先などを知る。商品情報格納サーバ７０３と店舗メール連絡先である店舗のサーバは、共通でも別々でもよい。別々にすれば、複数の店舗が取り扱う種々の商品の商品情報を１つの商品情報格納サーバ７０３で集中的に管理できる。また、店舗情報と商品情報をネットワーク経由で取得するようにすることにより、情報機器７０１はバーコードリーダ２１２を備える必要が無くなる。商品情報格納サーバ７０３のアドレスは、情報機器内の所定の記憶領域に保持しておく。
【００３４】
上記実施の形態では、店舗ごとに折込広告２０２を作成するようにしたが（すなわち、１枚の折込広告２０２のバーコード２２１には、図４に示すように１つの店舗の店舗情報だけが含まれる）、１枚の折込広告に複数の店舗の広告を含めることもできる。その場合は、広告中に店舗を特定するための店舗の写真や店名などを複数印刷しておき、その中の１つがタッチされたとき対応する店舗情報を読み出せばよい。購入希望のメールは、その店舗情報で示された送信先に送信する。複数の店舗にわたって複数の購入希望商品がある場合は、各店舗のメール連絡先に対してそれぞれ購入希望のメールを送信すればよい。
【００３５】
さらに、複数の店舗がある場合は、店舗の代理で受付窓口となる仲介業者を介して情報を送信するようにしてもよい。図８は、仲介業者を介して情報を送信する例を示す。情報機器８０１から購入希望商品情報を含む購入希望のメールがインターネット８０２経由で仲介業者のシステム８０３に送信されると、仲介業者のシステム８０３は、各購入希望商品をその商品を担当する店舗８０４−１〜８０４−ｎに振り分け、店舗ごとに、振り分けた購入希望商品の情報をメール送信する。各店舗８０４−１〜８０４−ｎは、在庫を確認しその購入希望に対する確認情報を仲介業者のシステム８０３に送信する。仲介業者のシステム８０３は、各店舗からの確認情報を受信し、当該利用者に対する購入希望の確認メールを作成して送信する。確認メールは、複数の店舗８０４−１〜８０４−ｎからの情報をまとめて１通にしてもよいし、店舗ごとのメールに分けてもよい。その確認メールは、インターネット８０２を介して情報機器８０１で受信する。受信した確認メールの内容は、図２のディスプレイ２１４に表示される。
【００３６】
また、上記仲介業者は必ずしも各店舗と別の業者である必要はなく、同一の業者で図８の「仲介業者」の位置にあるのが本店（または管理センター等）、「店舗」の位置にあるのが各支店であってもよい。
【００３７】
なお、上記実施の形態およびその変形例（図７および図８）では、各種の情報をメールでやり取りする例を説明したが、メール以外の方法で情報をやり取りしてもよい。例えば、折込広告を情報機器に載置したとき、自動的に所定のＷＷＷサーバに接続し、情報のやり取りはｈｔｔｐプロトコルで行うようにしてもよい。
【００３８】
上記実施の形態では、新聞などに挟み込まれる折込広告を想定したので「折込広告」として説明したが、本発明は折込まれている広告に限定されるものではない。「折込広告」とは、写真などで商品を表示しているどのような広告も含むものとする。
【００３９】
【発明の効果】
以上説明したように、本発明によれば、コンピュータシステムの知識がなくとも、利用者が日ごろ目にする折込広告を利用して、専用の情報機器から直感的に購入希望商品を選択して購入することができる。
【図面の簡単な説明】
【図１】商品購入の手順の概要を示すブロック図
【図２】商品購入に利用する情報機器の構成図
【図３】情報機器に登録する利用者情報テーブル図
【図４】折込広告に記載する店舗情報及び商品情報の構成図
【図５】商品購入段階の情報のやり取りを示す図
【図６】商品選択からメール送信までのフローチャート図
【図７】サーバから商品情報を取得する変形例を示す図
【図８】仲介業者を介して情報を送受信する変形例を示す図
【符号の説明】
１０１…折込広告作成、１０２…情報機器提供、１０３…商品指定・メール送信、１０４…購入商品確認メール送信、２０１…情報機器、２０２…折込広告、２１２…バーコードリーダ、２１３…タッチパネル、２１４…ディスプレイ、２１５…削除ボタン、２１６…情報変更ボタン、２１７…メール送信ボタン。
【図１】
2004227324.tif 000003
【図２】
2004227324.tif 000004
【図３】
2004227324.tif 000005
【図４】
2004227324.tif 000006
【図５】
2004227324.tif 000007
【図６】
2004227324.tif 000008
【図７】
2004227324.tif 000009
【図８】
2004227324.tif 000010